(57)【要約】  【課題】  極めて簡単な構成であっても、複数のうちの有意でない信号処理部の動作を停止して消費電力の低減を行え、その構成の規模に依存しない信号処理装置を提供する。  【解決手段】  本発明に係る信号処理装置１０は、電力制御部１１、複数の信号処理部１２ａ，１２ｂ，…，１２ｈを備えており、各信号処理部（例えば１２ａ）は、他の信号処理部から出力されたデータ信号が有意であるか否かを示す状態信号（Ｓｆ，Ｓｇ）と、電力制御部１１から電力制御信号（Ｐａ）とを受付けて、当該信号処理部から出力するデータ信号が有意であるか否かを判定する。データ信号が有意でないと判定した場合、クロック信号を停止させる。また、上述した判定に応じて当該信号処理部から出力するデータ信号が有意であるか否かを示す状態信号（Ｓａ）を生成して他の信号処理部（１２ｆ，１２ｇ）へ出力し、データ信号が有意であるか否かを他の信号処理部へ通知する。【選択図】        図１
2005301433.tif 000002
【特許請求の範囲】
【請求項１】
入力されたデータ信号に対してクロック信号に同期した信号処理を行って出力する複数の信号処理部を備える信号処理装置において、
各信号処理部は、
入力されたデータ信号が有意であるか否かを示す状態信号を受付ける受付手段と、
該受付手段にて受付けた状態信号に基づいて、該信号処理部から出力するデータ信号が有意であるか否かの判定を行う判定手段と、
該判定手段による判定に応じて、前記クロック信号に同期した信号処理を行うか否かを制御する制御手段と、
前記判定手段による判定に応じて、該信号処理部から出力するデータ信号が有意であるか否かを示す状態信号を他の信号処理部へ送出する送出手段と
を備えることを特徴とする信号処理装置。
【請求項２】
入力されたデータ信号に対して信号処理を行って出力する複数の信号処理部を備える信号処理装置において、
各信号処理部は、
入力されたデータ信号が有意であるか否かを示す状態信号を受付ける受付手段と、
該受付手段にて受付けた状態信号に基づいて、該信号処理部から出力するデータ信号が有意であるか否かの判定を行う判定手段と、
該判定手段による判定に応じて、該信号処理部への給電を行うか否かを制御する制御手段と、
前記判定手段による判定に応じて、該信号処理部から出力するデータ信号が有意であるか否かを示す状態信号を他の信号処理部へ送出する送出手段と
を備えることを特徴とする信号処理装置。
【請求項３】
前記複数の信号処理部のうちの少なくとも１つの信号処理部は、他の信号処理部へデータ信号を出力すべくなしており、
該信号処理部の送出手段が前記状態信号を送出する送出先は、該信号処理部がデータ信号を出力する出力先の信号処理部であること
を特徴とする請求項１又は請求項２に記載の信号処理装置。
【請求項４】
前記複数の信号処理部のうちの少なくとも１つの信号処理部は、他の信号処理部からデータ信号を入力すべくなしており、
該信号処理部の送出手段が前記状態信号を送出する送出先は、該信号処理部にデータ信号を入力する入力元の信号処理部であること
を特徴とする請求項１乃至請求項３のいずれかひとつに記載の信号処理装置。
【請求項５】
前記複数の信号処理部のうちの少なくとも１つの信号処理部は、外部からデータ信号を入力すべくなしており、
前記信号処理部へ入力されたデータ信号が有意であるか否かを示す第２状態信号を受付ける手段を備え、
該手段は、受付けた第２状態信号を前記信号処理部へ送出する手段を備え、
前記信号処理部の判定手段は、送出された第２状態信号に基づいて前記信号処理部から出力されるデータ信号が有意であるか否かを判定すべくなしてあること
を特徴とする請求項１乃至請求項４のいずれかひとつに記載の信号処理装置。
【請求項６】
前記複数の信号処理部のうちの少なくとも１つの信号処理部は、外部へデータ信号を出力すべくなしており、
前記信号処理部から出力されたデータ信号が有意であるか否かを示す第３状態信号を受付ける手段を備え、
該手段は、受付けた第３状態信号を前記信号処理部へ送出する手段を備え、
前記信号処理部の判定手段は、送出された第３状態信号に基づいて前記信号処理部から出力されるデータ信号が有意であるか否かを判定すべくなしてあること
を特徴とする請求項１乃至請求項５のいずれかひとつに記載の信号処理装置。
【発明の詳細な説明】
【技術分野】
【０００１】
本発明は、複数のうちの有意でない信号処理部の動作を停止することにより消費電力を低減する信号処理装置に関する。
【背景技術】
【０００２】
地球規模でのエネルギー排出削減が提唱されるなかで、複数のうちの有意でない信号処理部に対して給電を停止することにより、消費電力の削減を実現する信号処理装置が実現されている。例えば、外部入出力と信号処理部との組み合わせに対して、各信号処理部における信号処理の動作／停止を規定した電力制御テーブルを予め作成しておき、外部入出力の状況から、電力制御テーブルに基づいて各信号処理部への給電を制御する信号処理装置がある。
【０００３】
図４は従来の信号処理装置の構成を示すブロック図である。従来の信号処理装置１００は、電力制御部１０１、複数の信号処理部１０２ａ，１０２ｂ，…，１０２ｈを備えている。信号処理部１０２ａ，１０２ｂ，…，１０２ｈは、入力されたデータ信号を信号処理して出力する機能を有する。信号処理部１０２ａ，１０２ｂ，１０２ｃへは、外部入力信号Ｄｉｎ１，Ｄｉｎ２，Ｄｉｎ３がデータ信号としてそれぞれ入力されており、信号処理部１０２ｄ，１０２ｅから出力されるデータ信号は、外部出力信号Ｄｏｕｔ１，Ｄｏｕｔ２としてそれぞれ出力される。
【０００４】
ところで、信号処理装置１００において、全ての外部入出力信号（外部入力信号Ｄｉｎ１，Ｄｉｎ２，Ｄｉｎ３、外部出力信号Ｄｏｕｔ１，Ｄｏｕｔ２）が有意な信号であるとは限らない。例えば、ある動作モードにおいて、外部入力信号Ｄｉｎ２，Ｄｉｎ３が有意であるが、外部入力信号Ｄｉｎ１が有意でない場合、外部入力信号Ｄｉｎ１が入力される信号処理部１０２ａは動作させる必要がない。更に、信号処理部１０２ａの動作が停止すれば、当該信号処理部１０２ａから出力されるデータ信号が有意でなくなるため、そのデータ信号が入力される信号処理部１０２ｆ，１０２ｇも動作させる必要がない。同様に、信号処理部１０２ｆ，１０２ｇから出力されるデータ信号が入力される信号処理部１０２ｄも動作させる必要がない。
【０００５】
そこで、電力制御部１０１から信号処理部１０２ａ，１０２ｂ，…，１０２ｈへ電力制御信号Ｐａ，Ｐｂ，…，Ｐｈを出力し、各信号処理部が、電力制御信号に応じて内部処理回路に送られるクロック信号を停止させて低消費電力化を行う。より具体的には、電力制御部１０１は、外部入力信号及び外部出力信号が有意でない場合、いずれの信号処理部を停止させるか、すなわち電力制御信号のいずれを有意にするかを規定した電力制御テーブルをＲＯＭなどに記憶している。
【０００６】
図５は、電力制御テーブルの一例を示す概念図であり、同図の行方向に外部入力信号及び外部出力信号を示し、列方向に電力制御信号を示す。また、図中、”０”で示した電力制御信号は、対応する信号処理部のクロック信号を停止させることを示す。例えば、外部入力信号Ｄｉｎ１が有意でない場合、上述したように、信号処理部１０２ａ、信号処理部１０２ｆ，１０２ｇ、及び信号処理部１０２ｄは動作させる必要がないため、電力制御信号Ｐａ，Ｐｆ，Ｐｇ，Ｐｄを”０”にして、信号処理部１０２ａ，１０２ｆ，１０２ｇ，１０２ｄへ出力する。
【０００７】
このように、外部入力信号及び外部出力信号の各信号が有意でない場合の電力制御信号の状態を電力制御テーブルに予め登録しておく。そして、電力制御部１０１は、いずれの外部入力信号及び外部出力信号が有意でないかを検出し、有意でない信号が検出された場合、電力制御テーブルに基づいて電力制御信号を信号処理部へ出力する。
【０００８】
また、出力信号の無信号状態を検出して、その出力信号の処理を行う信号処理部の動作を停止させることにより、消費電力を削減する信号処理装置が提案されている（例えば、特許文献１参照。）。また、逆に各信号処理部が入力信号（データ信号含む）を検出し、入力信号が未入力の場合に、当該信号処理部のクロック信号を停止させて消費電力を削減する技術が提案されている。
【特許文献１】特開昭６１−１８２３４０号公報
【発明の開示】
【発明が解決しようとする課題】
【０００９】
しかしながら、図４に示した従来の信号処理装置では、外部から入力される外部入力信号及び外部へ出力する外部出力信号に対して、各信号処理部の動作／停止を予め規定し、電力制御テーブルを作成する必要がある。よって、設計者は、信号処理装置を設計するにあたって、電力制御テーブルの作成に多大なる労力を費やす必要があった。また、ＬＳＩ製造プロセスの微細化が年々進展しており、様々な機能を１チップで構成するシステムＬＳＩに代表されるように、システム・オン・チップ化へシフトしている。そのため、処理機能（信号処理部）毎に電力制御を綿密に行う必要があり、信号処理装置の設計にあたって、ますます設計者に対する負担が増大している。
【００１０】
また、特許文献１に開示された信号処理装置では、出力信号が無信号状態である条件をそれぞれの信号処理部で規定する必要がある。例えば、ある信号処理部では、出力信号が”０”の場合に無信号状態であると判定し、ある信号処理部では、ある閾値以下を無信号状態とする。このように、信号処理装置を構成する各信号処理部にて無信号状態であると判定するための判定回路（制御回路）を設計する必要があり、多くの信号処理部から構成される大規模な信号処理装置では設計が極めて困難であった。
【００１１】
本発明は斯かる事情に鑑みてなされたものであり、極めて簡単な構成であっても、複数のうちの有意でない信号処理部の動作を停止して消費電力の低減を行え、その構成の規模に依存しない信号処理装置の提供を目的とする。
【課題を解決するための手段】
【００１２】
本発明に係る信号処理装置は、入力されたデータ信号に対してクロック信号に同期した信号処理を行って出力する複数の信号処理部を備える信号処理装置において、各信号処理部は、入力されたデータ信号が有意であるか否かを示す状態信号を受付ける受付手段と、該受付手段にて受付けた状態信号に基づいて、該信号処理部から出力するデータ信号が有意であるか否かの判定を行う判定手段と、該判定手段による判定に応じて、前記クロック信号に同期した信号処理を行うか否かを制御する制御手段と、前記判定手段による判定に応じて、該信号処理部から出力するデータ信号が有意であるか否かを示す状態信号を他の信号処理部へ送出する送出手段とを備えることを特徴とする。
【００１３】
本発明にあっては、信号処理部は、入力されたデータ信号が有意であるか否かを示す状態信号を受付け、受付けた状態信号に基づいて、当該信号処理部から出力するデータ信号が有意であるか否かを判定する。そして、信号処理部は、その判定に応じて、クロック信号に同期した信号処理を行うか否かを制御するとともに、当該信号処理部から出力するデータ信号が有意であるか否かを示す状態信号を他の信号処理部へ送出する。
これにより、各信号処理部は、データ信号に基づいて、当該信号処理部の信号処理を行うか否かを判定するのではなく、受付けた状態信号に基づいて判定する。従って、信号処理部は、極めて簡単な構成であっても信号処理を行うか否かを判定することができ、受付けた状態信号によって、当該信号処理部のクロック信号を停止して消費電力を削減することができる。また、各信号処理部は、当該信号処理部から出力するデータ信号が有意であるか否かを示す状態信号を他の信号処理部へ送出することにより、データ信号が有意であるか否かを他の信号処理部へ通知することができる。
【００１４】
本発明に係る信号処理装置は、入力されたデータ信号に対して信号処理を行って出力する複数の信号処理部を備える信号処理装置において、各信号処理部は、入力されたデータ信号が有意であるか否かを示す状態信号を受付ける受付手段と、該受付手段にて受付けた状態信号に基づいて、該信号処理部から出力するデータ信号が有意であるか否かの判定を行う判定手段と、該判定手段による判定に応じて、該信号処理部への給電を行うか否かを制御する制御手段と、前記判定手段による判定に応じて、該信号処理部から出力するデータ信号が有意であるか否かを示す状態信号を他の信号処理部へ送出する送出手段とを備えることを特徴とする。
【００１５】
本発明にあっては、信号処理部は、入力されたデータ信号が有意であるか否かを示す状態信号を受付け、受付けた状態信号に基づいて、当該信号処理部から出力するデータ信号が有意であるか否かを判定する。そして、信号処理部は、その判定に応じて、当該信号処理部への給電を行うか否かを制御するとともに、当該信号処理部から出力するデータ信号が有意であるか否かを示す状態信号を他の信号処理部へ送出する。
これにより、各信号処理部は、データ信号に基づいて、当該信号処理部への給電を行うか否かを判定するのではなく、受付けた状態信号に基づいて判定する。従って、信号処理部は、極めて簡単な構成であっても給電を行うか否かを判定することができ、受付けた状態信号によって、当該信号処理部への給電を停止して消費電力を削減することができる。また、各信号処理部は、当該信号処理部から出力するデータ信号が有意であるか否かを示す状態信号を他の信号処理部へ送出することにより、データ信号が有意であるか否かを他の信号処理部へ通知することができる。
【００１６】
本発明に係る信号処理装置は、上述した各発明において、前記複数の信号処理部のうちの少なくとも１つの信号処理部は、他の信号処理部へデータ信号を出力すべくなしており、該信号処理部の送出手段が前記状態信号を送出する送出先は、該信号処理部がデータ信号を出力する出力先の信号処理部であることを特徴とする。
【００１７】
本発明にあっては、複数の信号処理部のうちの少なくとも１つの信号処理部が、他の信号処理部へデータ信号を出力する場合、当該信号処理部がデータ信号を出力する出力先の信号処理部へ、当該信号処理部から出力するデータ信号が有意であるか否かを示す状態信号を送出して、データ信号が有意であるか否かを通知することができる。これにより、例えば、信号処理部がカスケード接続されている場合、上流側の信号処理部から下流側の信号処理部へ、信号処理部の動作の停止と停止からの解除とを順次制御することができる。
【００１８】
本発明に係る信号処理装置は、上述した各発明において、前記複数の信号処理部のうちの少なくとも１つの信号処理部は、他の信号処理部からデータ信号を入力すべくなしており、該信号処理部の送出手段が前記状態信号を送出する送出先は、該信号処理部にデータ信号を入力する入力元の信号処理部であることを特徴とする。
【００１９】
本発明にあっては、複数の信号処理部のうちの少なくとも１つの信号処理部が、他の信号処理部からデータ信号を入力する場合、当該信号処理部がデータ信号を入力する入力元の信号処理部へ、当該信号処理部から出力するデータ信号が有意であるか否かを示す状態信号を送出して、データ信号が有意であるか否かを通知することができる。これにより、例えば、信号処理部がカスケード接続されている場合、下流側の信号処理部から上流側の信号処理部へ、信号処理部の動作の停止と停止からの解除とを順次制御することができる。
【００２０】
本発明に係る信号処理装置は、上述した各発明において、前記複数の信号処理部のうちの少なくとも１つの信号処理部は、外部からデータ信号を入力すべくなしており、前記信号処理部へ入力されたデータ信号が有意であるか否かを示す第２状態信号を受付ける手段を備え、該手段は、受付けた第２状態信号を前記信号処理部へ送出する手段を備え、前記信号処理部の判定手段は、送出された第２状態信号に基づいて前記信号処理部から出力されるデータ信号が有意であるか否かを判定すべくなしてあることを特徴とする。
【００２１】
本発明にあっては、複数の信号処理部のうちの少なくとも１つの信号処理部が、外部からデータ信号を入力する場合、外部から入力されたデータ信号が有意であるか否かを示す第２状態信号を受付け、受付けた第２状態信号を当該信号処理部へ送出する。そして、信号処理部は、送出された第２状態信号に基づいて、当該信号処理部から出力するデータ信号が有意であるか否かを判定する。これにより、信号処理部は、その判定に応じて、クロック信号に同期した信号処理を行うか否かを制御するとともに、当該信号処理部から出力するデータ信号が有意であるか否かを示す状態信号を他の信号処理部へ送出することができる。
【００２２】
本発明に係る信号処理装置は、上述した各発明において、前記複数の信号処理部のうちの少なくとも１つの信号処理部は、外部へデータ信号を出力すべくなしており、前記信号処理部から出力されたデータ信号が有意であるか否かを示す第３状態信号を受付ける手段を備え、該手段は、受付けた第３状態信号を前記信号処理部へ送出する手段を備え、前記信号処理部の判定手段は、送出された第３状態信号に基づいて前記信号処理部から出力されるデータ信号が有意であるか否かを判定すべくなしてあることを特徴とする。
【００２３】
本発明にあっては、複数の信号処理部のうちの少なくとも１つの信号処理部が、外部へデータ信号を出力する場合、外部から出力されたデータ信号が有意であるか否かを示す第３状態信号を受付け、受付けた第３状態信号を当該信号処理部へ送出する。そして、信号処理部は、送出された第３状態信号に基づいて、当該信号処理部から出力するデータ信号が有意であるか否かを判定する。これにより、信号処理部は、その判定に応じて、クロック信号に同期した信号処理を行うか否かを制御するとともに、当該信号処理部から出力するデータ信号が有意であるか否かを示す状態信号を他の信号処理部へ送出することができる。
【発明の効果】
【００２４】
本発明によれば、各信号処理部は、受付けた状態信号によって当該信号処理部の動作／停止を判定することができるため、入力されたデータ信号または出力されるデータ信号に基づいて、動作／停止を判定する複雑な回路を設計する必要がない。また、各信号処理部が、略同一構成の極めて簡単な回路を有していればよいため、回路設計が非常に容易になる。従って、複数の信号処理部から構成される大規模な信号処理装置が求められているなかで、設計が極めて困難であった処理機能毎の電力制御処理を、簡単な構成で、かつ、その構成の規模に依存せずに構築することができる。
【００２５】
また本発明によれば、信号処理部がカスケード接続されている場合、当該信号処理部に直接的に接続されている信号処理部へ状態信号を送出するだけでよいため、非常に簡単な論理回路で、信号処理部の動作／停止を判定することができる。従って、たとえ信号処理部の数が増加したとしても、論理回路が複雑になることはなく、設計が困難になることはない。
【００２６】
更に本発明によれば、外部からデータ信号を入力すべくなしてある信号処理部へ第２状態信号を、外部へデータ信号を出力すべくなしてある信号処理部へ第３状態信号を送出すればよいため、第２状態信号及び第３状態信号を生成するマイコンなどの処理負担が軽減されるとともに、配線数が減少して配線の引き回し、ノイズの影響を考慮するなどの設計者に対する負担を軽減することができる等、優れた効果を奏する。
【発明を実施するための最良の形態】
【００２７】
以下、本発明をその実施の形態を示す図面に基づいて詳述する。図１は本発明に係る信号処理装置の構成を示すブロック図である。本発明に係る信号処理装置１０は、電力制御部１１、複数の信号処理部１２ａ，１２ｂ，…，１２ｈ（以下、区別が不要な場合には信号処理部１２とすることもある）を備えている。信号処理部１２は、入力されたデータ信号を信号処理して出力する機能を有しており、外部入力信号がデータ信号として入力される第１の信号処理部、処理したデータ信号を外部出力信号として出力する第２の信号処理部、それ以外の第３の信号処理部に大別される。なお、信号処理装置１０は、例えば、液晶ディスプレイ、デジタル複合機、デジタルビデオカメラ、デジタルスチールカメラ、ＤＶＤレコーダなどの各種電子機器に搭載されており、ＡＳＩＣなどのマイコンによって制御される。
【００２８】
第１の信号処理部は、信号処理部１２ａ，１２ｂ，１２ｃであり、外部入力信号Ｄｉｎ１，Ｄｉｎ２，Ｄｉｎ３がデータ信号としてそれぞれ入力される。第２の信号処理部は、信号処理部１２ｄ，１２ｅであり、処理したデータ信号を外部出力信号Ｄｏｕｔ１，Ｄｏｕｔ２としてそれぞれ出力する。第３の信号処理部は、信号処理部１２ｆ，１２ｇ，１２ｈであり、当該信号処理部以外の少なくとも１つの信号処理部が出力するデータ信号を入力し、入力された信号を信号処理して少なくとも１つの他の信号処理部へ出力する。
【００２９】
電力制御部１１は、信号処理部１２ａ，１２ｂ，１２ｃへの入力信号Ｄｉｎ１，Ｄｉｎ２，Ｄｉｎ３が有意であるか否かを示す第２状態信号（以下、電力制御信号）Ｐａ，Ｐｂ，Ｐｃと、信号処理部１２ｄ，１２ｅから出力される出力信号Ｄｏｕｔ１，Ｄｏｕｔ２が有意であるか否かを示す第３状態信号（以下、電力制御信号）Ｐｄ，Ｐｅとを、外部から受付け、受付けた電力制御信号を信号処理部１２ａ，１２ｂ，１２ｃ，１２ｄ，１２ｅへ送出する機能を有する。なお、電力制御信号がハイレベルの場合、入力信号、出力信号が有意であることを示し、電力制御信号がローレベルの場合、入力信号、出力信号が有意でないことを示すと予め規定しておく。また、これら電力制御信号は、図示しないマイコンによって生成される。例えば、マイコンは外部入力信号Ｄｉｎ１，Ｄｉｎ２，Ｄｉｎ３、外部出力信号Ｄｏｕｔ１，Ｄｏｕｔ２の信号レベルに基づいて電力制御信号を生成し、生成した電力制御信号を電力制御部１１へ送出する。
【００３０】
これにより、電力制御部１１は、電力制御信号Ｐａ，Ｐｂ，Ｐｃ，Ｐｄ，Ｐｅを信号処理部１２ａ，１２ｂ，１２ｃ，１２ｄ，１２ｅへ送出することにより、その信号処理部へのクロック信号の入力を制御して、その動作を制御することが可能となる。
【００３１】
信号処理部１２ａ，１２ｂ，１２ｃ，１２ｄ，１２ｅは、電力制御部１１から入力された電力制御信号Ｐａ，Ｐｂ，Ｐｃ，Ｐｄ，Ｐｅに基づいて、当該信号処理部から出力するデータ信号が有意であるか否かを判定する機能、換言すれば、当該信号処理部の動作が必要であるか否かを判定する機能を有する。
また、信号処理部１２ａ，１２ｂ，１２ｃは、処理したデータ信号の出力先の信号処理部から状態信号を入力し、入力された状態信号に基づいて、当該信号処理部から出力するデータ信号が有意であるか否かを判定する機能を有しており、当該信号処理部における動作が制御される。同様に、信号処理部１２ｄ，１２ｅは、データ信号の入力元の信号処理部から状態信号を入力し、入力された状態信号に基づいて、当該信号処理部から出力するデータ信号が有意であるか否かを判定する機能を有しており、当該信号処理部における動作が制御される。
【００３２】
また、信号処理部１２ａ，１２ｂ，１２ｃ，１２ｄ，１２ｅは、当該信号処理部における状態信号Ｓａ，Ｓｂ，Ｓｃ，Ｓｄ，Ｓｅを生成する機能を有しており、生成した状態信号を、当該信号処理部に関連する他の信号処理部へ出力する。なお、詳細は後述するが、信号処理部１２ａ，１２ｂ，１２ｃ，１２ｄ，１２ｅが出力する状態信号は、第１に電力制御信号に基づいて生成され、第２に状態信号に基づいて生成される。つまり、電力制御信号が状態信号よりも上位の判定を行うように構成されており、電力制御信号がローレベルの場合は、ローレベルの状態信号Ｓａ，Ｓｂ，Ｓｃ，Ｓｄ，Ｓｅを生成し、電力制御信号がハイレベルの場合は、他の信号処理部から入力された状態信号に基づいて、ハイレベル又はローレベルの状態信号Ｓａ，Ｓｂ，Ｓｃ，Ｓｄ，Ｓｅを生成する。
【００３３】
より具体的には、信号処理部１２ａによって処理されたデータ信号の出力先が信号処理部１２ｆ，１２ｇであるため、信号処理部１２ａは、状態信号Ｓａを信号処理部１２ｆ，１２ｇへ出力すべく構成する。同様に、信号処理部１２ｂ，１２ｃによって処理されたデータ信号の出力先が信号処理部１２ｈであるため、信号処理部１２ｂ，１２ｃは、状態信号Ｓｂ，Ｓｃを信号処理部１２ｈへ出力すべく構成する。
【００３４】
また、信号処理部１２ｄによって処理されるデータ信号の入力元が信号処理部１２ｆ，１２ｇ，１２ｈであるため、信号処理部１２ｄは、状態信号Ｓｄを信号処理部１２ｆ，１２ｇ，１２ｈへ出力すべく構成する。同様に、信号処理部１２ｅによって処理されるデータ信号の入力元が信号処理部１２ｈであるため、信号処理部１２ｅは、状態信号Ｓｅを信号処理部１２ｈへ出力すべく構成する。
【００３５】
信号処理部１２ｆ，１２ｇ，１２ｈは、データ信号を入力する他の信号処理部とデータ信号を出力する他の信号処理部とから状態信号を入力し、入力された状態信号に基づいて、当該信号処理部から出力するデータ信号が有意であるか否かを判定する機能、換言すれば、当該信号処理部の動作が必要であるか否かを判定する機能を有しており、当該信号処理部における動作が制御される。なお、他の信号処理部から入力される状態信号の論理積、論理和などの論理回路を配置して、所望の判定ができるようにすればよい。例えば、論理積回路を用いれば、信号処理部１２ｆ，１２ｇ，１２ｈに入力されたすべての状態信号がハイレベルの場合には、当該信号処理部の動作が必要であると判定し、状態信号のうちのいずれか１つがローレベルの場合には、当該信号処理部の動作が不要であると判定する。
【００３６】
また、信号処理部１２ｆ，１２ｇ，１２ｈは、当該信号処理部における状態信号Ｓｆ，Ｓｇ，Ｓｈを生成する機能を有しており、生成した状態信号Ｓｆ，Ｓｇ，Ｓｈを、当該信号処理部に関連する他の信号処理部へ出力する。
【００３７】
より具体的には、信号処理部１２ｆ，１２ｇによって処理されるデータ信号の入力元が信号処理部１２ａであるとともに、信号処理部１２ｆ，１２ｇによって処理されたデータ信号の出力先が信号処理部１２ｄであるため、信号処理部１２ｆ，１２ｇは、状態信号部Ｓｆ，Ｓｇを信号処理部１２ａ，１２ｄへ出力すべく構成する。同様に、信号処理部１２ｈによって処理されるデータ信号の入力元が信号処理部１２ｂ，１２ｃであるとともに、信号処理部１２ｈによって処理されたデータ信号の出力先が信号処理部１２ｄ，１２ｅであるため、信号処理部１２ｈは、状態信号部Ｓｈを信号処理部１２ｂ，１２ｃ，１２ｄ，１２ｅへ出力すべく構成する。
【００３８】
このように構成された信号処理装置１０にあっては、例えば、外部入力信号Ｄｉｎ１が有意ではない場合、電力制御部１１から、ローレベルの電力制御信号Ｐａが信号処理部１２ａへ送出される。信号処理部１２ａは、ローレベルの電力制御信号Ｐａを受付け、内部処理回路へのクロック信号の入力を停止させ、ローレベルの状態信号Ｓａを信号処理部１２ｆ，１２ｇへ送出する。
【００３９】
そして、信号処理部１２ｆ，１２ｇは、ともにローレベルの状態信号Ｓａを受付け、内部処理回路へのクロック信号の入力を停止させ、ローレベルの状態信号Ｓｆ，Ｓｇを信号処理部１２ｄへ送出する。更に、信号処理部１２ｄは、ローレベルの状態信号Ｓｆ，Ｓｇを受付け、内部処理回路へのクロック信号の入力を停止させる。
【００４０】
このようにして、外部入力信号Ｄｉｎ１が有意ではない場合、信号処理部１２ａ→信号処理部１２ｆ，１２ｇ→信号処理部１２ｄの動作が順次停止される。つまり、上流側の信号処理部から下流側の信号処理部へと動作が順次停止される。
【００４１】
なお、信号処理部１２ｈには、ローレベルの状態信号Ｓｄが入力されているが、信号処理部１２ｈの他方の出力先である信号処理部１２ｅは動作状態であるため、信号処理部１２ｈは、出力するデータ信号が有意であると判定し、内部処理回路へのクロック信号の入力を継続して動作状態を保持する。
【００４２】
この状態で、外部入力信号Ｄｉｎ１が有意となった場合、電力制御部１１から、ハイレベルの電力制御信号Ｐａが信号処理部１２ａへ送出される。信号処理部１２ａは、ハイレベルの電力制御信号Ｐａを受付け、内部処理回路へクロック信号を入力して信号処理を動作させる。
【００４３】
そして、信号処理部１２ｆ，１２ｇは、ともにハイレベルの状態信号Ｓａを受付け、内部処理回路へクロック信号を入力して信号処理を動作させ、ハイレベルの状態信号Ｓｆ，Ｓｇを信号処理部１２ｄへ送出する。更に、信号処理部１２ｄは、ハイレベルの状態信号Ｓｆ，Ｓｇを受付け、内部処理回路へクロック信号を入力して信号処理を動作させる。
【００４４】
このようにして、外部入力信号Ｄｉｎ１が有意となった場合、信号処理部１２ａ→信号処理部１２ｆ，１２ｇ→信号処理部１２ｄの動作の停止が順次解除される。つまり、上流側の信号処理部から下流側の信号処理部へと動作の停止が順次解除される。
【００４５】
また信号処理装置１０にあっては、例えば、外部出力信号Ｄｏｕｔ１が有意ではない場合、電力制御部１１から、ローレベルの電力制御信号Ｐｄが信号処理部１２ｄへ送出される。信号処理部１２ｄは、ローレベルの電力制御信号Ｐｄを受付け、内部処理回路へのクロック信号の入力を停止させ、ローレベルの状態信号Ｓｄを信号処理部１２ｆ，１２ｇ，１２ｈへ送出する。
【００４６】
そして、信号処理部１２ｆ，１２ｇは、ともにローレベルの状態信号Ｓｄを受付け、内部処理回路へのクロック信号の入力を停止させ、ローレベルの状態信号Ｓｆ，Ｓｇを信号処理部１２ａへ送出する。更に、信号処理部１２ａは、ローレベルの状態信号Ｓｆ，Ｓｇを受付け、内部処理回路へのクロック信号の入力を停止させる。
【００４７】
このようにして、外部出力信号Ｄｏｕｔ１が有意ではない場合、信号処理部１２ｄ→信号処理部１２ｆ，１２ｇ→信号処理部１２ａの動作が順次停止される。つまり、下流側の信号処理部から上流側の信号処理部へと動作が順次停止される。
【００４８】
なお、上述と同様に、信号処理部１２ｈには、ローレベルの状態信号Ｓｄが入力されているが、信号処理部１２ｈの他方の出力先である信号処理部１２ｅは動作状態であるため、信号処理部１２ｈは、出力するデータ信号が有意であると判定し、内部処理回路へのクロック信号の入力を継続して動作状態を保持する。
【００４９】
この状態で、外部出力信号Ｄｏｕｔ１が有意となった場合、電力制御部１１から、ハイレベルの電力制御信号Ｐｄが信号処理部１２ｄへ送出される。信号処理部１２ｄは、ハイレベルの電力制御信号Ｐｄを受付け、内部処理回路へクロック信号を入力して信号処理を動作させる。
【００５０】
そして、信号処理部１２ｆ，１２ｇは、ともにハイレベルの状態信号Ｓｄを受付け、内部処理回路へクロック信号を入力して信号処理を動作させ、ハイレベルの状態信号Ｓｆ，Ｓｇを信号処理部１２ａへ送出する。更に、信号処理部１２ａは、ハイレベルの状態信号Ｓｆ，Ｓｇを受付け、内部処理回路へクロック信号を入力して信号処理を動作させる。
【００５１】
このようにして、外部入力信号Ｄｏｕｔ１が有意となった場合、信号処理部１２ｄ→信号処理部１２ｆ，１２ｇ→信号処理部１２ａの動作の停止が順次解除される。つまり、下流側の信号処理部から上流側の信号処理部へと動作の停止が順次解除される。
【００５２】
次に、信号処理部１２の構成について、その一例を示す図２のブロック図を参照して説明する。信号処理部１２は、上述したように３種類に大別されるが、その構成は略同一であるため、以下、信号処理部１２ａの構成について説明することにする。
【００５３】
信号処理部１２は、制御回路５１、選択回路５２、内部処理回路５３を備えている。制御回路５１は、電力制御部１１から入力される電力制御信号と、他の信号処理部から出力されたデータ信号が有意であるか否かを示す状態信号とを入力し、これらの信号に基づいて、当該信号処理部から出力するデータ信号が有意であるか否かを判定する判定手段として機能する。
【００５４】
また、制御回路５１は、上述した判定に応じて当該信号処理部から出力するデータ信号が有意であるか否かを示す状態信号を生成する手段としても機能し、生成した状態信号を選択回路５２及び外部へ出力する。信号処理部１２ａの場合、より具体的には、制御回路５１へは、電力制御部１１から電力制御信号Ｐａが、信号処理部１２ｆから状態信号Ｓｆが、信号処理部１２ｇから状態信号Ｓｇが入力され、図示しないＲＯＭに基づいて状態信号Ｓａが生成させる。
【００５５】
選択回路５２は、例えばリレースイッチであり、第１信号入力部５２ａ、第２信号入力部５２ｂ、選択信号入力部５２ｃ、信号出力部５２ｄを備えている。第１信号入力部５２ａへはクロック信号（ＣＬＫ）が入力されており、第２信号入力部５２ｂはＧＮＤに接続されている。選択信号入力部５２ｃへは上述した状態信号Ｓａが入力されており、状態信号Ｓａがハイレベルの場合には、第１信号入力部５２ａに入力された信号、すなわちクロック信号が信号出力部５２ｄから出力され、状態信号Ｓａがローレベルの場合には、第２信号入力部５２ｂに入力された信号、すなわちＧＮＤ信号が信号出力部５２ｄから出力される。つまり、選択回路５２は、状態信号Ｓａの信号レベルに応じて、クロック信号を内部処理回路５３へ入力するか否かを選択し、クロック信号に同期した信号処理を行うか否かを制御する手段として機能する。
【００５６】
内部処理回路５３は、例えば複数の論理回路から構成されており、入力されたデータ信号に対して、クロック信号に同期した信号処理を行って出力する機能を有する。上述したように、選択回路５２はクロック信号の内部処理回路５３への入力を選択しており、内部処理回路５３は、クロック信号が入力されない場合に信号処理の実行が停止されるので、消費電力を削減することができる。
【００５７】
図３は、制御回路の動作フローの概要を示すフローチャートである。なお、動作フローは一例であり、これに限定されるものではない。また、このような動作フローは制御回路５１に内蔵したＲＯＭへ予め制御プログラムを組み込んでおくことにより行うことができる。
【００５８】
先ず、制御回路５１は、状態信号Ｓａをハイレベル（以下、”１”）に設定して、動作状態にする（ステップＳ１）。次に、電力制御部１１から入力された電力制御信号Ｐａがローレベル（以下、”０”）であるか否かを判定する（ステップＳ２）。電力制御信号Ｐａが”１”であると判定された場合（Ｓ２：ＮＯ）、状態信号Ｓｆが”０”であるか否かを判定する（ステップＳ３）。また、状態信号Ｓｆが”１”であると判定された場合（Ｓ３：ＮＯ）、状態信号Ｓｇが”０”であるか否かを判定する（ステップＳ４）。更に、状態信号Ｓｇが”１”であると判定された場合（Ｓ４：ＮＯ）、Ｓ２へ移行して処理を繰り返す。
【００５９】
一方、電力制御信号Ｐａが”０”であると判定された場合（Ｓ２：ＹＥＳ）、状態信号Ｓａを”０”に設定して処理を停止状態にする（ステップＳ５）。そして、電力制御信号Ｐａが”１”であるか否かを判定し（ステップＳ６）、電力制御信号Ｐａが”０”である場合は判定を繰り返す（Ｓ６：ＮＯ）。そして、電力制御信号Ｐａが”１”であると判定された場合（Ｓ６：ＹＥＳ）、状態信号Ｓａを”１”に設定して処理を動作状態にして（ステップＳ７）、Ｓ２へ移行して処理を繰り返す。つまり、電力制御信号Ｐａによって処理が停止状態になった場合、電力制御信号Ｐａが”１”であると判定されることにより、停止状態が解除される。
【００６０】
また、状態信号Ｓｆが”０”であると判定された場合（Ｓ３：ＹＥＳ）、状態信号Ｓａを”０”に設定して処理を停止状態にする（ステップＳ８）。そして、状態信号Ｓｆが”１”であるか否かを判定し（ステップＳ９）、状態信号Ｓｆが”０”である場合は判定を繰り返す（Ｓ９：ＮＯ）。そして、状態信号Ｓｆが”１”であると判定された場合（Ｓ９：ＹＥＳ）、状態信号Ｓａを”１”に設定して処理を動作状態にして（ステップＳ１０）、Ｓ２へ移行して処理を繰り返す。つまり、状態信号Ｓｆによって処理が停止状態になった場合、状態信号Ｓｆが”１”であると判定されることにより、停止状態が解除される。
【００６１】
同様に、状態信号Ｓｇが”０”であると判定された場合（Ｓ４：ＹＥＳ）、状態信号Ｓａを”０”に設定して処理を停止状態にする（ステップＳ１１）。そして、状態信号Ｓｇが”１”であるか否かを判定し（ステップＳ１２）、状態信号Ｓｇが”０”である場合は判定を繰り返す（Ｓ１２：ＮＯ）。そして、状態信号Ｓｇが”１”であると判定された場合（Ｓ１２：ＹＥＳ）、状態信号Ｓａを”１”に設定して処理を動作状態にして（ステップＳ１３）、Ｓ２へ移行して処理を繰り返す。つまり、状態信号Ｓｇによって処理が停止状態になった場合、状態信号Ｓｇが”１”であると判定されることにより、停止状態が解除される。
【００６２】
ここで、電力制御信号Ｐａが”０”になった場合、信号処理部１２ａが停止状態になり、それを受けて信号処理部１２ｆが停止状態になる。よって、信号処理部１２ｆの状態信号Ｓｆは、”０”になり、信号処理部１２ａの制御回路５１へ送出される。従って、状態信号Ｓｆが”０”であるため、信号処理部１２ａが停止状態を継続することになり、信号処理部１２ａと信号処理部１２ｆとの停止状態が無限に継続されるように思える。
【００６３】
しかし、電力制御信号Ｐａが”０”になった場合（Ｓ２：ＹＥＳ）、電力制御信号Ｐａが”１”になるまで、Ｓ６の判定ステップを繰り返しており、この判定ステップの繰り返しを解除するのは、電力制御信号Ｐａが”１”になる条件のみである。従って、電力制御信号Ｐａによって停止状態になった場合であっても、停止状態になった信号処理部１２ａは、信号処理部１２ｆから入力される状態信号Ｓｆの影響を受けないので、信号処理部１２ａと信号処理部１２ｆとの停止状態を解除することができなくなる虞は全くない。
【００６４】
なお、実施の形態では、状態信号及び電力制御信号に応じて、内部処理回路へのクロック信号の入力を制御することにより、信号処理部の動作の停止と、停止の解除とを制御して、自動的に消費電力を削減するようにしたが、状態信号及び電力制御信号に応じて、信号処理したデータ信号の出力を制御するような形態であってもよい。例えば、信号処理部のデータ信号出力部（Ｄｏｕｔ）に上述した選択回路５２のような選択部を設け、状態信号及び電力制御信号が有意であることを示す場合には、データ信号出力部からデータ信号を出力し、状態信号及び電力制御信号が有意でないことを示す場合には、データ信号出力部からのデータ信号の出力を停止するようにする。このようにすれば、当該信号処理部からデータ信号を入力する信号処理部での信号処理の停止と、停止からの解除とが制御され、消費電力が自動的に削減される。
【００６５】
また、状態信号及び電力制御信号に応じて、内部処理回路への給電を制御するような形態であってもよい。例えば、各信号処理部へ給電する電源ラインに、上述した選択回路５２のような選択部を設け、状態信号及び電力制御信号が有意であることを示す場合には、電源ラインから信号処理部へ給電を行うようにし、状態信号及び電力制御信号が有意でないことを示す場合には、電源ラインから信号処理部への給電を停止するようにする。このようにすれば、状態信号及び電力制御信号が有意でないことを示す場合には、当該信号処理部における消費電力をさらに削減することができる。
【図面の簡単な説明】
【００６６】
【図１】本発明に係る信号処理装置の構成を示すブロック図である。
【図２】信号処理部の構成を示すブロック図である。
【図３】制御回路の動作フローの概要を示すフローチャートである。
【図４】従来の信号処理装置の構成を示すブロック図である。
【図５】電力制御テーブルの一例を示す概念図である。
【符号の説明】
【００６７】
１０  信号処理装置
１１  電力制御部
１２ａ，１２ｂ，１２ｃ，１２ｄ，１２ｅ，１２ｆ，１２ｇ，１２ｈ  信号処理部
Ｄｉｎ１，Ｄｉｎ２，Ｄｉｎ３  外部入力信号
Ｄｏｕｔ１，Ｄｏｕｔ２  外部出力信号
Ｐａ，Ｐｂ，Ｐｃ，Ｐｄ，Ｐｅ  電力制御信号
Ｓａ，Ｓｂ，Ｓｃ，Ｓｄ，Ｓｅ，Ｓｆ，Ｓｇ，Ｓｈ  状態信号
５１  制御回路
５２  選択回路
５３  内部処理回路
【図１】
2005301433.tif 000003
【図２】
2005301433.tif 000004
【図３】
2005301433.tif 000005
【図４】
2005301433.tif 000006
【図５】
2005301433.tif 000007